(57)【要約】【課題】  利用者の状況や嗜好に応じた情報を発信することの可能な識別カードによる情報発信装置、情報発信方法及びコンピュータープログラムを提供すること。【解決手段】個体を識別する個体識別コードを記録する識別カード１００と、この識別カードの情報を読み取るカードリーダー２２と、カードリーダーに関連づけられたリーダー識別コードを記録するリーダー識別コード記録部２１と、リーダー識別コードに関連づけられた情報を個体が目視可能なディスプレイ手段１０とを備える。識複数のリーダー識別コードを個体識別コードに関連づけて記録可能な履歴記録部を備える。情報発信装置は履歴記録部に記録された複数のリーダー識別コードの組み合わせに対応した情報を選択し発信する。また、識別カードの情報をカードリーダーで読み取らせることでディスプレイ手段に発信させた情報として他の２以上のカードリーダーが選択可能である【選択図】    図１
2007102515.tif 000002
【特許請求の範囲】
【請求項１】
個体を識別する個体識別コードを記録する識別カードと、この識別カードの情報を読み取るカードリーダーと、カードリーダーに関連づけられたリーダー識別コードを記録するリーダー識別コード記録部と、前記リーダー識別コードに関連づけられた情報を個体が目視可能なディスプレイ手段とを備え、前記識別カードの情報を前記カードリーダーで読み取らせることで情報を発信する識別カードによる情報発信装置であって、
複数の前記リーダー識別コードを前記個体識別コードに関連づけて記録可能な履歴記録部を備え、前記情報発信装置は前記履歴記録部に記録された前記複数のリーダー識別コードの組み合わせに対応した情報を選択し発信することを特徴とする識別カードによる情報発信装置。
【請求項２】
個体を識別する個体識別コードを記録する識別カードと、この識別カードの情報を読み取るカードリーダーと、カードリーダーに関連づけられたリーダー識別コードを記録するリーダー識別コード記録部と、前記リーダー識別コードに関連づけられた情報を個体が目視可能なディスプレイ手段とを備え、前記識別カードの情報を前記カードリーダーで読み取らせることで情報を発信する識別カードによる情報発信装置であって、
前記識別カードの情報を前記カードリーダーで読み取らせることで前記ディスプレイ手段に発信させた情報として他の２以上のカードリーダーが選択可能である旨表示されることを特徴とする識別カードによる情報発信装置。
【請求項３】
前記他の２以上のカードリーダーが異なるアクセスポイントに属していることを特徴とする請求項２記載の識別カードによる情報発信装置。。
【請求項４】
前記他の２以上のカードリーダーが同一のアクセスポイントに属していることを特徴とする請求項２記載の識別カードによる情報発信装置。。
【請求項５】
請求項１及び２の構成要件を備えたことを特徴とする識別カードによる情報発信装置。
【請求項６】
前記ディスプレイ手段が、表示装置付情報受信端末と前記個体識別コードに関連づけられた前記情報受信端末のアドレスとよりなることを特徴とする請求項１〜５のいずれかに記載の識別カードによる情報発信装置。
【請求項７】
請求項１〜６のいずれかに記載の識別カードによる情報発信装置を用いて情報を発信することを特徴とする識別カードによる情報発信方法。
【請求項８】
請求項１〜６のいずれかに記載の識別カードによる情報発信装置のステップをコンピューターに実施させる識別カードによる情報発信装置用プログラム。
【発明の詳細な説明】
【技術分野】
【０００１】
本発明は、ＩＣカード等の個体識別カードと情報受信端末等のディスプレイ装置とを使用して利用者に適切な情報を提供する情報発信装置、情報発信方法及びコンピュータープログラムに関する。さらに詳しくは、個体を識別する個体識別コードを記録する識別カードと、この識別カードの情報を読み取るカードリーダーと、カードリーダーに関連づけられたリーダー識別コードを記録するリーダー識別コード記録部と、前記リーダー識別コードに関連づけられた情報を個体が目視可能なディスプレイ手段とを備え、前記識別カードの情報を前記カードリーダーで読み取らせることで情報を発信する識別カードによる情報発信（または「発生」、以下本明細書で同様）装置、情報発信方法及びコンピュータープログラムに関する。
【背景技術】
【０００２】
従来、ＩＣカードリーダに利用者のＩＣカードを通すことで、ＩＣカードの識別情報を読み取り、ＩＣカードの識別情報に対してあらかじめ登録された利用者の携帯電話などのメール受信端末のメールアドレスにメールを送ることで、情報提供を行うシステムとしては、次の特許文献１，２に記載のものが知られている。
【特許文献１】特開２００３−１０８５８８号
【特許文献２】特開２００３−２９６４１３号
【０００３】
同システムによれば、ＩＣカードリーダの設置されている場所に合わせた内容のメールを送信することで、利用者に対して利用者が現在存在する周辺の情報を提供し、地域の情報や広告などを配信する。そして、電車の改札にあるＩＣカードリーダに、利用者がＩＣカードを通すことでどの駅で電車に乗車したかを検出し、乗車した駅の周辺の情報を提供すると共に、電車を下車した駅の周辺の情報を提供し、広告の媒体として利用する。
【０００４】
しかし、上記従来の技術では、ＩＣカードリーダを通した場所に応じた情報の提供しか行われないため、ある特定の地域周辺の情報や一般的な情報、または広告等しか提供することしか出来なかった。これは、ある特定の地域間、駅から駅などへの移動など際に、特定の地域にまつわる情報を提供する目的では十分であるが、利用者の状況や嗜好に応じた情報を提供することができなかった。
【発明の開示】
【発明が解決しようとする課題】
【０００５】
上記従来の実情に鑑みて、本発明は、利用者の状況や嗜好に応じた情報を発信することの可能な識別カードによる情報発信装置、情報発信方法及びコンピュータープログラムを提供することにある。
【課題を解決するための手段】
【０００６】
上記目的を達成するため、本発明に係る識別カードによる情報発信装置の特徴は、個体を識別する個体識別コードを記録する識別カードと、この識別カードの情報を読み取るカードリーダーと、カードリーダーに関連づけられたリーダー識別コードを記録するリーダー識別コード記録部と、前記リーダー識別コードに関連づけられた情報を個体が目視可能なディスプレイ手段とを備え、前記識別カードの情報を前記カードリーダーで読み取らせることで情報を発信する構成であって、
複数の前記リーダー識別コードを前記個体識別コードに関連づけて記録可能な履歴記録部を備え、前記情報発信装置は前記履歴記録部に記録された前記複数のリーダー識別コードの組み合わせに対応した情報を選択し発信することにある。
【０００７】
本発明に係る識別カードによる情報発信装置の他の特徴は、個体を識別する個体識別コードを記録する識別カードと、この識別カードの情報を読み取るカードリーダーと、カードリーダーに関連づけられたリーダー識別コードを記録するリーダー識別コード記録部と、前記リーダー識別コードに関連づけられた情報を個体が目視可能なディスプレイ手段とを備え、前記識別カードの情報を前記カードリーダーで読み取らせることで情報を発信する構成であって、
前記識別カードの情報を前記カードリーダーで読み取らせることで前記ディスプレイ手段に発信させた情報として他の２以上のカードリーダーが選択可能である旨表示されることにある。
【０００８】
ここで、「リーダー識別コード」は、経路上端末又はＩＣカードリーダーライターの識別コードでもよい。また、「リーダー識別コード記録部」は、経路上端末又はＩＣカードリーダーライター自身でもよい、サーバー上の記録部位でもよい。
【０００９】
そして、前記他の２以上のカードリーダーが図５の如く異なるアクセスポイントに属してもよい。また、前記他の２以上のカードリーダーが図６の如く同一のアクセスポイントに属してもよい。さらに上記全ての構成要件を備えてもよい。
【００１０】
前記ディスプレイ手段が、表示装置付情報受信端末と前記個体識別コードに関連づけられた前記情報受信端末のアドレスとより構成してもよい。
【００１１】
また、識別カードによる情報発信方法の特徴は、上記いずれかに記載の識別カードによる情報発信装置を用いて情報を発信することにある。さらに、識別カードによる情報発信装置用プログラムの特徴は、上記特徴のいずれかに記載の識別カードによる情報発信装置のステップをコンピューターに実施させることにある。
【発明の効果】
【００１２】
上記本発明に係る識別カードによる情報発信装置、情報発信方法及びコンピュータープログラムの特徴によれば、利用者の状況や嗜好に応じた情報を発信することが可能となった。
【００１３】
本発明の他の目的、構成及び効果については、以下の発明の実施の形態の項から明らかになるであろう。
【発明を実施するための最良の形態】
【００１４】
まず、添付図面１〜を参照しながら、商店街や街中でのウォークラリーとして実施される本発明の第一実施形態について説明する。同ラリーは、ある限定された特定の地域内に複数のＩＣカードリーダを設置し、利用者に対して情報提供及び行き先の誘導を行うシステムとして、商店街や街中で行われる。
【００１５】
ウォークラリーは、商店街や街中の複数の箇所に通過ポイントを設置し、利用者がそのポイントを訪れることで点数を貯め、その点数に応じた景品を交換するなどでサービスを提供するが、必ずしも点数を貯めることのみが目的ではなく、様々な場所を訪れることによってその地域の情報を得ることを一つの楽しみとして参加することとなる。
【００１６】
ウォークラリーを主催する側は、多くの人に参加してもらい、多くの場所を訪れてもらうことで、その地域に実際に訪れなければわからない情報を利用者に告知し、その地域の良さを知ってもらうことで、商店街や地域の活性化されることを目的として開催することになる。
【００１７】
図１は、本発明の実施形態の例を示したシステム構成１の図である。本発明は、利用者の持つ利用者ＩＣカード１００と利用者端末１０、ウォークラリーの受付に設置される受付端末２１およびＩＣカードリーダライタ２２、ウォークラリーの複数の箇所の通過ポイントに設置される経路上端末３１ａ〜ｎおよびＩＣカードリーダライタ３２ａ〜ｎ、サーバ４０で構成され、利用者端末１０、受付端末２１、経路上端末３１ａ〜ｎ、サーバ４０のそれぞれは、ネットワーク２にて接続されている。
【００１８】
利用者は、利用者ＩＣカード１００と利用者端末１０を使い、ウォークラリーに参加する。利用者ＩＣカード１００は、非接触ＩＣカードなどの、個別の識別番号が情報として記載されたカードであり、ＩＣカードリーダライタ２２，３２ａ〜ｎなどを用いることで、その個別の識別番号が取得できるようなものを利用する。このカードに記載された個別の識別番号を、利用者の識別番号として利用者を識別し、本システムで利用者を特定する。また、利用者端末１０として、携帯電話やＰＤＡなどの小型の情報端末で、インターネット等のネットワークに接続する機能と、電子メール等のメッセージを受信する機能を有する端末を使用し、システムからのメッセージの受信と表示を行う。
【００１９】
ウォークラリーに参加する利用者は、まず受付に設置された受付端末２１にて、利用者の利用者ＩＣカードと、利用者端末の電子メールアドレスの登録を行う。受付端末２１には、受付ＩＣカードリーダライタ２２が接続されており、利用者ＩＣカード１００を受付ＩＣカードリーダライタ２２に読み取らせることで、受付端末２１にて利用者ＩＣカード１００の識別番号を取得することが可能となっている。
【００２０】
図２は、受付端末２１のソフトウェア構成図である。受付端末２１は、カードＲ／Ｗ通信部２３にてＩＣカードリーダライタ２２と通信し、利用者ＩＣカード１００をＩＣカードリーダライタ２２に読み取らせたさいに、ＩＣカードリーダライタ２２から利用者ＩＣカード１００の個別の識別番号を取得する機能を有している。利用者ＩＣカード１００の個別の識別番号を取得すると、次に、メールアドレス入力部２４が実行され、画面上に利用者端末の電子メールアドレスを入力する画面が表示される。ここで、ウォークラリーの主催者は、利用者から利用者端末１０の電子メールアドレスを提示してもらい、メールアドレスの入力を行うこととなる。電子メールアドレスの入力が完了した後、メッセージ作成部２５において、サーバ４０へ利用者ＩＣカード１００の識別番号と電子メールアドレスを含めた、ウォークラリー参加のメッセージを作成し、ネットワーク送信部２６において、サーバ４０にメッセージを送信することで、受付端末２１での受付処理が完了する。
【００２１】
図４はサーバ４０のソフトウェア構成図である。サーバ４０では、受付端末２１からのウォークラリー参加メッセージをネットワーク受信部４１で受信すると、利用者情報登録部４２ａにて、利用者ＩＣカード１００の個別の識別番号と共に、利用者の利用者端末１０の電子メールアドレスを利用者情報４２に登録する。これにより、受付以降、利用者ＩＣカード１００を経路上端末３１ａ〜ｎにて読み取らせた際に、その利用者ＩＣカード１００の個別の識別番号に対応した利用者端末１０の電子メールアドレスに対して、メッセージを送信することが可能となる。
【００２２】
利用者の受付処理が終了した後、サーバ４０では、メッセージ検索部４３ａにて、受付端末２１の識別番号を基にして、受付完了時のメッセージ情報４３を検索し、受付時に指定された電子メールアドレスに対して、メッセージ送信部４４よりメッセージを送信することで、利用者に対して受付が完了し、ウォークラリーが開始されたことを通知する。
【００２３】
受付端末２１での受付に際して、ＩＣカード機能搭載の携帯電話などを利用する場合は、受付端末２１のメールアドレス入力部にて電子メールアドレスを入力する方法の変わりに、ＩＣカード機能搭載の携帯電話の機能を使って、携帯電話の電子メールアドレスを直接取得する方法も利用可能である。もしくは、ＩＣカード機能搭載の携帯電話より、受付専用のＷＥＢページにアクセスし、受付専用のプログラムをダウンロード後、携帯電話にダウンロードされたプログラムより直接、利用者ＩＣカード１００の個別の識別情報を取得し、携帯電話の電子メールアドレスと共にサーバ４０に送信し、受付を完了させる方法も利用可能である。
ウォークラリーの開始後、利用者は、商店街や街中の複数の箇所に設置された通過ポイントを訪れ、通過ポイントに設置された経路上端末３１ａ〜ｎのＩＣカードリーダ３２ａ〜ｎに、利用者ＩＣカード１００を読み取らせることで、ウォークラリーを進めていく。
【００２４】
図３は、経路上端末３１ａ〜ｎのソフトウェア構成図である。経路上端末３１ａ〜ｎは、複数の箇所に設置される際に、設置された箇所を識別するための、経路上端末３１ａ〜ｎの識別番号が設定されており、この経路上端末３１ａ〜ｎの識別番号を利用して、利用者がどの経路上端末３１ａ〜ｎを通過したかを識別することが可能となっている。
【００２５】
経路上端末３１ａ〜ｎは、受付端末２１と同様に、カードＲ／Ｗ通信部３３にてＩＣカードリーダライタ３２ａ〜ｎと通信し、利用者ＩＣカード１００をＩＣカードリーダライタ３２ａ〜ｎに読み取らせたさいに、ＩＣカードリーダライタ３２ａ〜ｎから利用者ＩＣカード１００の個別の識別番号を取得する機能を有している。利用者ＩＣカード１００の個別の識別番号を取得すると、メッセージ作成部３４において、サーバ４０へ利用者ＩＣカード１００の識別番号と経路上端末３１ａ〜ｎの識別番号を含めた、経路通過のメッセージを作成し、ネットワーク送信部３５において、サーバ４０にメッセージを送信することで、経路上端末３１ａ〜ｎでの経路通過処理が完了する。
【００２６】
サーバ４０では、経路上端末３１ａ〜ｎからの経路通過のメッセージをネットワーク受信部４１で受信すると、利用者情報検索部４２ｂにて、利用者ＩＣカード１００の個別の識別番号を用いて、利用者の利用者端末１０の電子メールアドレスを利用者情報４２から取得する。次に、メッセージ検索部４３ａにて、利用者の通過した経路上端末３１ａ〜ｎの識別番号を利用して、次に送信するメッセージ情報４３を取得し、メッセージ送信部４４より、受付時に指定された電子メールアドレスに対してメッセージを送信することで、利用者に対して経路を通過したことを通知し、次に行くべきウォークラリーの経路を通知する。
【００２７】
ここで、受付端末２１で受付処理を行う代わりに、経路上端末３１ａ〜ｎにて受付端末２１の代わりに受付処理を行うことも可能である。まず、経路上端末３１ａ〜ｎにて利用者ＩＣカード１００の識別番号と経路上端末３１ａ〜ｎの識別番号を含めた、経路通過メッセージを作成し、サーバ４０にメッセージを送信する。サーバ４０では、利用者情報検索部４２ｂにて、利用者ＩＣカード１００の個別の識別番号を基に、利用者情報４２の検索を行う。ここで、すでに利用者ＩＣカード１００の個別の識別番号が登録されている場合は、通常の経路通過の際の処理を行うことになるが、まだ利用者の受付が完了していない場合は、利用者情報４２に利用者ＩＣカード１００の個別の識別番号が登録されていないために、経路上端末３１ａ〜ｎに対して、受付未完了のメッセージを送信する。経路上端末３１ａ〜ｎでは、受付未完了のメッセージを受信した場合は、受付端末２１の受付処理と同様に、電子メールアドレス入力のための画面を表示し、利用者端末１０の電子メールアドレスの入力を促し、電子メールアドレスの入力後、受付端末２１と同様に、サーバ４０へ利用者ＩＣカード１００の識別番号と電子メールアドレスを含めた、ウォークラリー参加のメッセージを作成し、ネットワーク送信部３５において、サーバ４０にメッセージを送信することで、受付処理を完了させることが可能となる。
【００２８】
以上は、本発明により利用者が利用者ＩＣカード１００を用いて、経路上端末３１ａ〜ｎを通過した際に、利用者端末１０にて情報を受け取る流れとなる。ここで、本発明を利用して、利用者に対して複数の選択肢を提示し、利用者の選択に応じて、適切な情報を提供する方法を説明する。
【００２９】
図５は、ウォークラリーにおいて、受付端末２１に当たる受付ポイントＰＸ、経路上端末３１ａ〜ｎに相当する通過ポイントＰＡ〜ＰＮを、ウォークラリーの経路上に配置した例である。この、受付ポイントＰＸをスタートとする各々の経路、ＰＸ−ＰＡ−ＰＢ−ＰＣ、ＰＸ−ＰＡ−ＰＤ−ＰＥ、ＰＸ−ＰＦ−ＰＧ、ＰＸ−ＰＨ−ＰＩ、ＰＸ−ＰＨ−ＰＪは、図５の例のウォークラリーを実施することにより利用者が選択することの出来るコースに当たる。
【００３０】
まず、利用者が受付ポイントＰＸにて受付を完了すると、受付端末の識別番号を基に、あらかじめメッセージ情報４３に用意された受付完了のメッセージと共に、ＰＡ、ＰＦ、ＰＨへ向かう選択肢が含まれたメッセージを提示されることとなる。メッセージの例としては、「受付が完了しました。ウォークラリー開始です。体力に自信のある方はＰＡへ、体力にあまり自信のない方はＰＦへ、のんびり楽しみたい方はＰＨへ向かってください。」など、利用者が選択を行うことで、ウォークラリーのコースが変わるようなメッセージ内容である。
【００３１】
次に、利用者がそれぞれ提示された選択肢を基に、次に通過する通過ポイントＰＡ、ＰＦ、ＰＨに到達した際には、それぞれの通過ポイントに相応しい内容のメッセージを、利用者に提供することになる。例えば、ＰＡを通過した利用者に対しては、ＰＡの経路上端末３１ａの識別番号に対して、あらかじめメッセージ情報４３にＰＡ通過時のメッセージとして用意された「坂道をご苦労様でした。次はさらに険しいＰＢへ向かうコースか、なだらかなＰＤに向かうコースを進んでください。」などを選択し、利用者に提示することで、状況に合わせた適切な情報を提供することが可能となる。
【００３２】
次に、本発明の第二実施形態として、図６を参照しながら、心理ゲームなどのアトラクションでの、利用者の選択肢に応じた情報の提供に関して説明する。
【００３３】
心理ゲームなどのアトラクションなど、ある特定の建物内において、本発明を利用した情報提供サービスを行うことが可能である。
【００３４】
図６は、心理ゲームなどで複数の設問に対して、それぞれの利用者が回答した際にたどる経路の例である。この例では、３つの設問に対してそれぞれ２つの回答が用意されている場合を考える。ここで、利用者は、利用者ＩＣカード１００を用いて、アトラクション内の通過ポイントＰＡ〜ＰＮに対応する経路上端末３１ａ〜ｎに、利用者ＩＣカード１００を読み取らせることで、設問に対して回答を行うこととなる。
【００３５】
まずＰＸにて受付を行いアトラクションを開始すると、利用者端末１０に対して、最初の設問が送信される。例えば、アトラクション開始時の設問として「好きな色は赤か青か。赤ならば赤い枠にカードをかざせ。青ならば青い枠にカードをかざせ。」など、利用者に利用者ＩＣカード１００を使用して、設問に対応する通過ポイントＰＡ、ＰＢのＩＣカードリーダ３２ａ，３２ｂにカードを読み取らせることで、設問に回答させる内容のメッセージを送信する。
【００３６】
利用者が利用者ＩＣカード１００をＩＣカードリーダ３２ａもしくは３２ｂに読み取らせると、次に通過ポイントＰＡもしくはＰＢを選択して回答した場合に対応したメッセージを、利用者に送信することで、その次の設問に対する回答を行わせることとなる。例えば、回答として「赤」を選択しＰＡに利用者ＩＣカード１００を読み取らせた利用者に対しては、「赤を選択したあなたは情熱家。右の情熱の部屋に進み、好きなオブジェを選びなさい。」などである。
このように、経路上端末３１ａ〜ｎに対して利用者ＩＣカード１００を読み取らせることで、利用者が設問に回答するのと同様の効果を期待することができ、回答すると同時に、次の設問が利用者端末に送信される。このようにして、複数の設問に対して、ＩＣカードを読み取らせることで回答を繰り返すことで、最終的に利用者のすべての回答が行われると、利用者が最終的に到達したＰＧ〜ＰＮにおいて最終的なメッセージ、この例では心理ゲームで性格診断などを行った結果情報を提示することとなる。
【００３７】
ここで、利用者端末１０を利用して設問を提示する代わりに、展示物などを利用して設問を行い、利用者ＩＣカード１００のみをつかって心理ゲームなどを進めてもよい。また、最終的な診断の結果を利用者端末に提示する代わりに、最終の回答を行った際に、印刷機などを利用して診断結果を印刷しても良い。
ここでは、心理ゲームなどを例としたが、利用者に対して提示された設問や選択肢に対して利用者が回答を行うようなシステムにおいて、複数の経路上端末３１ａ〜ｎおよびＩＣカードリーダ３１ａ〜ｎを設置し、利用者ＩＣカード１００を読み取らせることで、利用者を識別するのと同時に、回答を得ることが可能なシステムを、本発明を利用して実施することが可能である。また、複数のＩＣカードリーダ３１ａ〜ｎに対して利用者ＩＣカード１００を読み取らせる順序で、利用者に提示する情報などを変更するシステムを構築することが可能である。
【００３８】
次に、本発明の第三実施形態について説明する。第一、第二実施形態では、ネットワーク２上に接続された複数の経路上端末３１ａ〜ｎ、およびサーバ４０を例としているが、１台の端末に複数のＩＣカードリーダを搭載することで、利用者の選択肢の入力とＩＣカードリーダによる利用者の識別や課金サービスなどを実現することも可能である。図７は、飲料水等の自動販売機５０を複数のＩＣカードリーダ５２ａ〜ｎを使って実現した際の第三実施形態を示す。
【００３９】
従来の飲料水等の自動販売機で、ＩＣカードを利用した課金を行う場合は、ＩＣカードリーダを１台装備し、まず利用者がＩＣカードをＩＣカードリーダに読み取らせ、ボタンを押すことで購入する商品５１ａ〜ｎを選択し、ＩＣカードに対して課金を行う方式を取っていた。しかし、本発明の方式では、複数のＩＣカードリーダ５２ａ〜ｎを使用し、購入する商品５１ａ〜ｎに対応したＩＣカードリーダ５２ａ〜ｎに対して利用者がＩＣカードを読み取らせることで、利用者が選択した商品５１ａ〜ｎを判別すると共に、ＩＣカードに対して課金を行うことが可能となる。
【産業上の利用可能性】
【００４０】
本発明は、特定の地域内や、敷地内、建物内、もしくは機器などの、複数の箇所に設置されたＩＣカードリーダを用い、利用者に選択肢を用意し、利用者が選択し読み取りを行ったＩＣカードリーダに合わせた適切な情報の提供を行うことを可能にする。また、本発明は自動販売機等の機器制御にも用いることができる。
【図面の簡単な説明】
【００４１】
【図１】システム構成図である。
【図２】受付端末ソフトウェア構成図である。
【図３】経路上端末ソフトウェア構成図である。
【図４】サーバソフトウェア構成図である。
【図５】スタンプラリーのアクセスポイント配置図である。
【図６】スタンプラリーで心理ゲームを実施する際のアクセスポイント配置図である。
【図７】自動販売機の概略正面図である。
【符号の説明】
【００４２】
１：システム、１０：利用者端末、１００：利用者ＩＣカード、２：ネットワーク、２１：受付端末、２２：受付ＩＣカードリーダライタ、２３：カードＲ／Ｗ通信部、２４：メールアドレス入力部、２５：メッセージ作成部、２６：ネットワーク送信部、３１ａ〜ｎ：経路上端末、３２ａ〜ｎ：ＩＣカードリーダライタ、３３：カードＲ／Ｗ通信部、３４：メッセージ作成部、３５：ネットワーク送信部、４０：サーバ、４１ネットワーク受信部、４２：利用者情報、４２ａ：利用者情報登録部、４２ｂ：利用者情報検索部、４３：メッセージ情報、４３ａ：メッセージ検索部、４４メッセージ送信部、５０：自動販売機、５１ａ〜ｎ：商品、５２ａ〜ｎ：ＩＣカードリーダ、５３：商品取出口
【図１】
2007102515.tif 000003
【図２】
2007102515.tif 000004
【図３】
2007102515.tif 000005
【図４】
2007102515.tif 000006
【図５】
2007102515.tif 000007
【図６】
2007102515.tif 000008
【図７】
2007102515.tif 000009